(57)【要約】【課題】微少漏洩が検出された時に高精度にガス漏れの検出が行えるようにするガス漏れ警報器とガスメータを提供する。【解決手段】ガス漏れ警報器２のμＣＯＭ２１において、ガスメータ１から微少漏洩警告信号を入力された場合は、ガス漏れ検出閾値を低下させるとともにガス漏れ検出の間隔を短くするように変更する。ガスメータ１のμＣＯＭ１１において、流量検出部１２が検出する流量が予め定めた微少な流量であって、それが３０日経過している場合は微少流量警告をガス漏れ警報器２に出力する。その後、リセットが行われたら微少漏洩警告を解除する。【選択図】図１
2008281475.tif 000002
【特許請求の範囲】
【請求項１】
ガスメータが接続され、前記ガスメータから所定の情報が入力される入力手段と、ガス漏れの検出を行うガス漏れ検出手段と、前記ガス漏れ検出手段に対して所定の間隔でガス漏れ検出を行わせる制御手段と、前記ガス漏れ検出手段の検出結果に基づいてガス漏れ警報を発するか否かを判定する判定手段と、を備えたガス漏れ警報器において、
前記入力手段が、ガスの微少漏洩を警告する情報を検出したときは、前記制御手段に、前記ガス漏れ検出手段に対してガス漏れ検出を行わせる所定の間隔を短くするように変更する、および／または、前記判定手段に対して、ガス漏れ警報を発するか否か判定するための閾値を低くするように変更する変更手段を備えたことを特徴とするガス漏れ警報器。
【請求項２】
前記制御手段が前記ガス漏れ検出手段に前記ガス漏れ検出を行わせる間隔および前記判定手段がガス漏れ警報を発すると判定する閾値が、前記ガスメータから入力される予め定められた複数のガス流量区分を示す情報に応じて設定されることを特徴とする請求項１に記載のガス漏れ警報器。
【請求項３】
ガス漏れ警報器が接続され、所定の情報を前記ガス漏れ警報器に出力する出力手段を備えたガスメータにおいて、
ガスの流量を検出する流量検出手段と、ガス流路の圧力を検出する圧力検出手段と、の少なくともいずれか一方を備え、
前記出力手段が、前記流量検出手段の検出結果または前記圧力検出手段の検出結果に基づいて、ガスの微少漏洩を警告する情報を出力することを特徴とするガスメータ。
【請求項４】
前記出力手段が、前記流量検出手段の検出結果に基づいて、予め定められた複数のガス流量区分を示す情報を出力することを特徴とする請求項３に記載のガスメータ。
【発明の詳細な説明】
【技術分野】
【０００１】
本発明は、ガスメータが接続されるガス漏れ警報器およびガス漏れ警報器が接続されるガスメータに関する。
【背景技術】
【０００２】
ガス漏れ警報器はガスメータと接続されガス漏れ警報器で検出したガス漏れ情報を警報するとともに有線または無線を通じてガスメータへも通知する。ガスメータではガス漏れ警報器からの通知に応じて遮断弁を閉じてガス供給を停止する。また、ガスメータが検出したガス供給状態（ガスの遮断中、ガス遮断復帰時の安全確認中、ガス使用許可など）をガス漏れ警報器に通知することでガス漏れ警報器からユーザにガス供給の状態などを警告または通知することが行われている。
【０００３】
また、ガスメータには、ガスが流れる流路などからの微少な漏洩を検出して表示する機能が搭載されているものがある。例えば特許文献１に記載のガスメータは、微少なガス流量が所定期間（例えば３０日）を超えて流れ続けた場合に警告表示を行っている。
【特許文献１】特開２００６−０１７５０８号公報
【発明の開示】
【発明が解決しようとする課題】
【０００４】
上述した特許文献１に記載のガスメータは、ガスメータ自身に微少漏洩を表示しているので、ガスの利用者よりも検針員が微少漏洩表示に対する対処を行うことが多くなる。
【０００５】
しかしながら、検針員がガスメータを確認するのは通常１ヶ月に１回であるため、微少漏洩が検針直後から始まったとすると、微少漏洩の警告が３０日後で検針員が微少漏洩警告に気が付いて対処するまでさらに１ヶ月、すなわち最大約２ヶ月もの間微小漏洩があるにもかかわらずガス漏れ警報器では微少漏洩に対応した高精度な検出を行うことができないという問題があった。
【０００６】
そこで、本発明は、上記のような問題点に着目し、微少漏洩が検出された時に高精度にガス漏れの検出が行えるようにするガス漏れ警報器とガスメータを提供することを課題とする。
【課題を解決するための手段】
【０００７】
上記課題を解決するためになされた請求項１記載の発明は、ガスメータが接続され、前記ガスメータから所定の情報が入力される入力手段と、ガス漏れの検出を行うガス漏れ検出手段と、前記ガス漏れ検出手段に対して所定の間隔でガス漏れ検出を行わせる制御手段と、前記ガス漏れ検出手段の検出結果に基づいてガス漏れ警報を発するか否かを判定する判定手段と、を備えたガス漏れ警報器において、前記入力手段が、ガスの微少漏洩を警告する情報を検出したときは、前記制御手段に、前記ガス漏れ検出手段に対してガス漏れ検出を行わせる所定の間隔を短くするように変更する、および／または、前記判定手段に対して、ガス漏れ警報を発するか否か判定するための閾値を低くするように変更する変更手段を備えたことを特徴としている。
【０００８】
請求項２に記載の発明は、前記制御手段が前記ガス漏れ検出手段に前記ガス漏れ検出を行わせる間隔および前記判定手段がガス漏れ警報を発すると判定する閾値が、前記ガスメータから入力される予め定められた複数のガス流量区分を示す情報に応じて設定されることを特徴としている。
【０００９】
請求項３に記載の発明は、ガス漏れ警報器が接続され、所定の情報を前記ガス漏れ警報器に出力する出力手段を備えたガスメータにおいて、ガスの流量を検出する流量検出手段と、ガス流路の圧力を検出する圧力検出手段と、の少なくともいずれか一方を備え、前記出力手段が、前記流量検出手段の検出結果または前記圧力検出手段の検出結果に基づいて、ガスの微少漏洩を警告する情報を出力することを特徴としている。
【００１０】
請求項４に記載の発明は、前記出力手段が、前記流量検出手段の検出結果に基づいて、予め定められた複数のガス流量区分を示す情報を出力することを特徴としている。
【発明の効果】
【００１１】
以上説明したように請求項１記載の発明によれば、入力手段が、ガスの微少漏洩を警告する情報を検出したときは、変更手段が、制御手段に、ガス漏れ検出手段に対してガス漏れ検出を行わせる所定の間隔を短くするように変更する、または、判定手段に対して、ガス漏れ警報を発するか否か判定するための閾値を低くするように変更する、または、双方の変更を行うようにするので、微少漏洩が検出された時に高精度にガス漏れの検出を行うことができる。
【００１２】
請求項２記載の発明によれば、予め定められた複数のガス流量区分を示す情報によって、制御手段がガス漏れ検出手段にガス漏れ検出を行わせる間隔や判定手段がガス漏れ警報を発すると判定する閾値を設定しているので、ガスの流量区分に合わせた微少漏洩によるガス漏れの検出を行うことができる。
【００１３】
請求項３記載の発明によれば、ガスの流量を検出する流量検出手段と、ガス流路の圧力を検出する圧力検出手段と、少なくともいずれか一方を備え、出力手段が、流量検出手段の検出結果または圧力検出手段の検出結果に基づいてガスの微少漏洩を警告する情報を出力しているので、ガス漏れ警報器に対して微少漏洩の情報を出力することができ、ガス漏れ警報器において微少漏洩に対応した動作を行うことができる。
【００１４】
請求項４に記載の発明によれば、出力手段が、流量検出手段の検出結果に基づいて予め定められた複数のガス流量区分を示す情報を出力しているので、ガス漏れ警報器においてガスの流量区分に応じた警報動作の設定変更等を行うことができる。
【発明を実施するための最良の形態】
【００１５】
以下、本発明の一実施の形態を図面に基づいて説明する。図１は、本発明の一実施形態にかかるガス漏れ警報器およびガスメータを示すブロック図である。図２は、図１に示したガスメータの動作を示したフローチャートである。図３は、図１に示したガス漏れ警報器の動作を示したフローチャートである。
【００１６】
本発明の一実施形態にかかるガスメータ１は、μＣＯＭ１１と、流量検出部１２と、表示部１３と、遮断弁１４と、通信部１５と、復帰スイッチ１６と、インタフェース部１７とを備えている。
【００１７】
μＣＯＭ１１は、予め定めたプログラムに従って各種の処理や制御などを行うＣＰＵ（中央演算処理装置）１１ａと、ＣＰＵ１１ａが行う処理のプログラム等を格納した読み出し専用のメモリであるＲＯＭ１１ｂと、各種のデータを格納するとともにＣＰＵ１１ａの処理作業に必要なエリアを有する読み出し書き込み自在のメモリであるＲＡＭ１１ｃ等を有して構成されたマイクロコンピュータである。μＣＯＭ１１は、ガス流量の測定や微少漏洩の検出判断およびガスの遮断などガスメータ１の全体の制御を行っている。
【００１８】
流量検出手段としての流量検出部１２は、ガス流路を流れるガスの流量を検出するものであり、膜式、超音波式センサやフローセンサ等の流量センサから構成され、検出結果をμＣＯＭ１１へ出力している。
【００１９】
表示部１３は、液晶ディスプレイ（ＬＣＤ）等が用いられ、μＣＯＭ１１からの制御によってガス使用量の積算値や警報などの各種の情報を表示する。
【００２０】
遮断弁１４は、ガスメータ１に接続されるガス器具へのガスの供給を遮断するための遮断弁であり、ガス漏れ警報器２からのガス漏れ通知を示す信号またはガスメータ１内部での遮断事象の検出（接続されたガス器具の合計消費量を超えてガスが流れた場合に遮断する合計流量遮断や、接続されたガス器具の異常な長時間使用があった場合にガスを遮断する使用時間遮断等）に基づいてμＣＯＭ１１が遮断の指示を行う。
【００２１】
通信部１５は、ＮＣＵ（Network Control Unit）が用いられ、μＣＯＭ１１によって制御されて、電話回線などの公衆回線を介してガス販売業者の管理センタ等との通信が可能となっている。
【００２２】
復帰スイッチ１６は、復帰ボタン（図示しない）の押下によりオン操作され、遮断弁１４を開弁させるための復帰信号をμＣＯＭ１１に出力する。
【００２３】
出力手段としてのインタフェース部１７は、μＣＯＭ１１の指示によりガス漏れ警報器２に出力する微少漏洩を警告する情報やガスの流量区分を示す情報を表す信号を生成し出力するとともに、ガス漏れ警報器２から入力された信号をμＣＯＭ１１に入力する。
【００２４】
本発明の一実施形態にかかるガス漏れ警報器２は、μＣＯＭ２１と、ガスセンサ２２と、警報部２３と、インタフェース部２４と、を備えている。
【００２５】
制御手段、判定手段、変更手段としてのμＣＯＭ２１は、予め定めたプログラムに従って各種の処理や制御などを行うＣＰＵ（中央演算処理装置）２１ａと、ＣＰＵ２１ａが行う処理のプログラム等を格納した読み出し専用のメモリであるＲＯＭ２１ｂと、各種のデータを格納するとともにＣＰＵ２１ａの処理作業に必要なエリアを有する読み出し書き込み自在のメモリであるＲＡＭ２１ｃ等を有して構成されたマイクロコンピュータである。μＣＯＭ２１は、ガスセンサ２２にガス漏れ検出を行わせたりガス漏れ警報を発するか否かの判断などのガス漏れ警報器２の全体の制御およびガスセンサ２２の検出結果に基づいてガスセンサ２２に対するガス検出の間隔の変更や警報と判定する閾値の変更などを行ったりしている。
【００２６】
ガス漏れ検出手段としてのガスセンサ２２は、例えば、可燃性ガスとの反応により、可燃性ガスの濃度に応じた抵抗値に変化する半導体式のセンサなどによって構成されており、可燃性ガスの濃度に応じた抵抗値を電圧に変換して、μＣＯＭ２１に出力している。
【００２７】
警報部２３は、μＣＯＭ２１からの指示により音声などによりガス漏れ発生時の警報やガスメータ１から受信した信号に基づいた音声等を報知するための図示しないスピーカやインジケータ、表示装置などを備えている。
【００２８】
入力手段としてのインタフェース部２４は、ガスメータ１から入力された信号を検出またはμＣＯＭ２１に入力するとともに、μＣＯＭ２１の指示によりガスメータ１に出力する信号を生成し出力する。
【００２９】
次に、上述した構成のガスメータ１において、ガスの微少流量検出時の動作を図２に示すフローチャートを参照して説明する。図２のフローチャートはμＣＯＭ１１のＣＰＵ１１ａが実行する。
【００３０】
まず、ステップＳ１１において、流量検出部１２においてガスの流量が検出されたか否かを判断して、流量が検出された場合（Ｙの場合）はステップＳ１２に進み、流量が検出されない場合（Ｎの場合）は本ステップにて待機する。
【００３１】
次に、ステップＳ１２において、ガスの流量が検出されたことを受けて、その流量が予め定められた複数のガス流量区分のうちどの流量区分に該当するかをガス漏れ警報器２に出力してステップＳ１３に進む。ガスの流量区分は、ガスの流路を流れる流量を予め複数に区分したものであり、例えば区分を示す数字や記号とその区分に対応する流量の範囲がテーブル形式などでＲＯＭ１１ｂに記憶されている。そして、検出された流量が、そのテーブルのどの区分に該当するかを判定して、その区分情報（区分を示す数字や記号など）をインタフェース部１７を経由して出力する。すなわち、流量検出手段の検出結果に基づいて、予め定められた複数のガス流量区分を示す情報を出力している。
【００３２】
次に、ステップＳ１３において、ステップＳ１１において検出された流量が予め定められた微少流量に該当するか否かを判断して、微少流量に該当する場合（Ｙの場合）はステップＳ１４に進み該当しない場合（Ｎの場合）はステップＳ１１に戻る。
【００３３】
次に、ステップＳ１４において、微少流量検出が３０日経過しているか否か（３０日連続で微少流量検出されているか）を判断して、３０日経過している場合（Ｙの場合）はステップＳ１５に進み、３０日経過していない場合（Ｎの場合）はステップＳ１１に戻る。なお、この微少流量検出が経過している日数３０日は適宜変更してもよい。
【００３４】
次に、ステップＳ１５において、微少漏洩が発生していると判断し、微少漏洩警告を表示部１３に出力するとともにインタフェース部１７を経由してガス漏れ警報器２にも出力しステップＳ１６に進む。すなわち、流量検出手段の検出結果に基づいて、ガスの微少漏洩を警告する情報を出力している。
【００３５】
次に、ステップＳ１６において、利用者や検診員の操作または管理センタからの遠隔操作などによって微少漏洩警告がリセットされたか否かを判断して、リセットされた場合（Ｙの場合）はステップＳ１７に進み、リセットされていない場合（Ｎの場合）は本ステップで待機する。
【００３６】
次に、ステップＳ１７において、微少漏洩警告を解除してステップＳ１１に戻る。
【００３７】
次に、ガス漏れ警報器２において、ガスの微少流量検出時の動作を図３に示すフローチャートを参照して説明する。図３のフローチャートはμＣＯＭ２１のＣＰＵ２１ａが実行する。
【００３８】
まず、ステップＳ２１において、１分計測を開始してステップＳ２２に進む。すなわち、μＣＯＭ２１内の図示しないタイマなどを用いて１分の計時を行う。
【００３９】
次に、ステップＳ２２において、ステップＳ２１で計測を開始した１分が経過したか否かを判断し、１分が経過した場合（Ｙの場合）はステップＳ２３に進み、１分が経過していない場合（Ｎの場合）はステップＳ２４に進む。
【００４０】
次に、ステップＳ２３において、ガスセンサ２２に対してガス漏れを検出したか否かをスキャンさせてステップＳ２１に戻る。ガスセンサ２２にガス漏れをスキャンさせてガス漏れが検出と判定したときは、警報部２３に警報させる。ガス漏れが検出の判定は、ガスセンサ２２から出力されるガス検出時の電圧に所定の閾値を設定し、その閾値以上であった場合はガス漏れ検出と判定する。なお、このガス漏れを検出したか否かを判定する際の閾値は、ガスメータ１から入力される流量区分に応じて変更してもよい。すなわち、ガス漏れ警報器２のＲＯＭ２１ｂにも、ガスメータ１のＲＯＭ１１ｂと同じガスの流量区分を判定するためのテーブルなどが記憶されており、そのテーブルを参照して流量区分を特定し閾値の変更を行っている。
【００４１】
次に、ステップＳ２４において、インタフェース部２４がガスメータ１から微少漏洩警告信号を受信したか否かを判断し、受信した場合（Ｙの場合）はステップＳ２５に進み、受信していない場合（Ｎの場合）はステップＳ２２に戻る。
【００４２】
次に、ステップＳ２５において、ガス漏れ検出の判定の閾値を低下させて、つまりガス漏れ検出と判定し易くしてステップＳ２６に進む。本ステップでは、ガスセンサ２２が出力するガス検出時の電圧がステップＳ２３でスキャンするときよりも低い電圧でガス漏れ検出と判定するように電圧の閾値を低下させている。
【００４３】
次に、ステップＳ２６において、１０秒計測を開始してステップＳ２７に進む。例えば、μＣＯＭ１１内の図示しないタイマなどを用いて１０秒の計時を行う。すなわち、ガス漏れ検出を行わせる所定の間隔を短くするように変更している。
【００４４】
次に、ステップＳ２７において、ステップＳ２６で計測を開始した１０秒が経過したか否かを判断して、１０秒が経過した場合（Ｙの場合）はステップＳ２８に進み、１０秒が経過していない場合（Ｎの場合）はステップＳ２９に進む。
【００４５】
次に、ステップＳ２８において、ガスセンサ２２に対してガス漏れを検出したか否かをスキャンさせてステップＳ２６に戻る。ガスセンサ２２にガス漏れをスキャンさせた場合にガス漏れ検出と判定したときは、警報部２３に警報させる。ステップＳ２５でガス漏れ検出判定閾値を低下させているので、本ステップにおけるガス漏れ検出は低い閾値に基づいて行われる。
【００４６】
次に、ステップＳ２９において、インタフェース部２４がガスメータ１から微少漏洩警告信号を受信したか否かを判断し、受信した場合（Ｙの場合）はステップＳ２７に戻り、受信していない場合（Ｎの場合）はステップＳ３０に進む。本ステップでは、ガスメータ１で微少漏洩警告がリセットされたか否かを判断してリセットされた場合はガス漏れスキャンの間隔や閾値を微少漏洩警告前の状態に戻し、リセットされない場合は、ガス漏れスキャンの間隔や閾値をステップＳ２５、Ｓ２６で設定した値のまま行う。
【００４７】
次に、ステップＳ３０において、ステップＳ２５で低下させたガス漏れ検出閾値を元に戻して（ステップＳ２３において適用していた値に上昇させて）ステップＳ２１に戻る。
【００４８】
以上のガスメータ１によれば、ガスメータ１のμＣＯＭ１１において、流量検出部１２が検出する流量が予め定めた微少な流量であって、それが３０日経過している場合は微少流量警告をガス漏れ警報器２に出力する。その後、リセットが行われたら微少漏洩警告を解除する。このようにすることで、ガスメータ１において検出した微少漏洩をガス漏れ警報器２に出力することができるので、ガス漏れ警報器２で、微少漏洩に対応した動作を行うことができる。
【００４９】
また、以上のガス漏れ警報器２によれば、ガス漏れ警報器２のμＣＯＭ２１において、ガスメータ１から微少漏洩警告信号を入力された場合は、ガス漏れ判定閾値を低下させるとともにガスセンサ２２へのガス漏れ検出を行わせる間隔を短くするように変更している。このようにすることで、ガスの微少漏洩が検出されたことに対応して、高精度にガス漏れを検出することができるようになる。
【００５０】
なお、上述した実施形態においてガス漏れ検出閾値とガス漏れスキャンの間隔の両方を変更していたがどちらか一方でもよい。
【００５１】
また、上述した実施形態においてガスの微少漏洩はガスの流量から判定していたが、圧力検出手段としてのガス流路の圧力を測定する圧力センサなどを設け、その圧力センサの測定結果に基づいてガスの微少漏洩を判定してもよい。例えば、ガス使用停止直後の圧力と所定の間隔で測定した圧力との差が予め定めた値を超えて上昇することが数日間（例えば３０日）１度も無かった場合は微少漏洩と判定する。
【００５２】
また、上述した実施形態ではガス漏れ警報器２の通常時のガス漏れスキャンの時間間隔を１分、微少漏洩時のガス漏れスキャンの時間間隔を１０秒としていたが、それに限らず任意の時間間隔に設定してよい。ただし、微少漏洩時は、通常時よりもガス漏れスキャンの間隔を短くすることで高精度に検出するようにしているために、通常時のガス漏れスキャンの時間間隔＞微少漏洩時のガス漏れスキャンの時間間隔に設定する必要がある。
【００５３】
また、上述した実施形態のガスメータとガス漏れ警報器との接続線３０は有線でも無線でもよい。
【００５４】
なお、本発明は上記実施形態に限定されるものではない。即ち、本発明の骨子を逸脱しない範囲で種々変形して実施することができる。
【図面の簡単な説明】
【００５５】
【図１】本発明の一実施形態にかかるガス漏れ警報器およびガスメータを示すブロック図である。
【図２】図１に示したガスメータの動作を示したフローチャートである。
【図３】図１に示したガス漏れ警報器の動作を示したフローチャートである。
【符号の説明】
【００５６】
１            ガスメータ
２            ガス漏れ警報器
１１          μＣＯＭ
１２          流量検出部（流量検出手段）
１７          インタフェース部（出力手段）
２１          μＣＯＭ（制御手段、判定手段、変更手段）
２２          ガスセンサ（ガス漏れ検出手段）
２４          インタフェース部（入力手段）
【図１】
2008281475.tif 000003
【図２】
2008281475.tif 000004
【図３】
2008281475.tif 000005